(57)【特許請求の範囲】
【請求項１】
着用者の肌に当接する当接面を有する液透過性の表面シートと、
前記表面シートに接合された液不透過性の裏面シートと、を具備し、
前記表面シートと前記裏面シートとの間にガスが封入された固形粒子が混入された吸収体を含む、使い捨てトレーニングパンツであって、
前記裏面シート側における単位面積当たりの前記ガスが封入された固形粒子の量よりも前記表面シート側における単位面積当たりの前記ガスが封入された固形粒子の量が、多く存在していることを特徴とする使い捨てトレーニングパンツ。
【請求項２】
前記固形粒子の粒径が、１ｍｍ〜５ｍｍであることを特徴とする請求項１記載の使い捨てトレーニングパンツ。
【請求項３】
着用者の肌に当接する当接面側に貼着されるトレーニングパンツ用使い捨てシートであって、
着用者の肌に当接する当接面を有する液透過性の表面シートと、
前記表面シートに接合された液不透過性の裏面シートと、
被着体に貼着可能な粘着層と、
前記粘着層の粘着面を被覆すると共に剥離可能な剥離層と、を具備し、
前記表面シートと前記裏面シートとの間にガスが封入された固形粒子が混入された吸収体を含み、
前記裏面シート側における単位面積当たりの前記ガスが封入された固形粒子の量より前記表面シート側における単位面積当たりの前記ガスが封入された固形粒子の量が、多く存在していることを特徴とするトレーニングパンツ用使い捨てシート。
【請求項４】
前記固形粒子の粒径が、１ｍｍ〜５ｍｍであることを特徴とする請求項３記載のトレーニングパンツ用使い捨てシート。
【発明の詳細な説明】
【技術分野】
【０００１】
本発明は、使い捨てトレーニングパンツおよびトレーニングパンツ用使い捨てシートに関し、更に詳しくは、排泄のしつけ方法を容易にする使い捨てトレーニングパンツおよびトレーニングパンツ用使い捨てシートに関する。
【背景技術】
【０００２】
従来より、着用者からの液体の排泄物を透過させる着用者に接する表面シートと、排出物が漏れるのを防ぐ裏面シートと、これら両シート間に介在する、着用者から排泄物を封じ込めるための吸収体とを具備する使い捨てトレーニングパンツが、知られている。
従来のトレーニングパンツは、オムツ離れを促進させるために、排尿時の尿の吸収率を低下させ、排尿をして濡れた感触を着用者である幼児が認識できるようにしたものであった。
【０００３】
例えば、特許文献１には、吸水により温度が変化する吸熱塩又は発熱塩を具備してなる吸水性物品が提案されている。
【先行技術文献】
【特許文献】
【０００４】
【特許文献１】特許第３８３０９０１号公報
【発明の概要】
【発明が解決しようとする課題】
【０００５】
しかしながら、従来のトレーニングパンツでは、乳幼児があまり不快を感じず、濡れたまま履き続けてしまう場合があり、オムツ離れの促進に繋がらないという問題があった。
本発明は、このような事情に鑑み、排尿をしたときに不快感を与えることにより、着用者である幼児が容易に認識できるトレーニングパンツおよびトレーニングパンツ用使い捨てシートを提供することを目的とする。
【課題を解決するための手段】
【０００６】
上記目的は以下の本発明によって達成される。即ち、本発明は、着用者の肌に当接する当接面を有する液透過性の表面シートと、前記表面シートに接合された液不透過性の裏面シートと、を具備し、前記表面シートと前記裏面シートとの間にガスが封入された固形粒子が混入された吸収体を含む、使い捨てトレーニングパンツであって、前記裏面シート側における単位面積当たりの前記固形粒子の量よりも前記表面シート側における単位面積当たりの前記固形粒子の量が、多く存在していることを特徴とする。
また、上記の使い捨てトレーニングパンツにおいて、更に、前記固形粒子の粒径が、１ｍｍ〜５ｍｍであることを特徴とする。
【０００７】
また、本発明は、着用者の肌に当接する当接面側に貼着されるトレーニングパンツ用使い捨てシートであって、着用者の肌に当接する当接面を有する液透過性の表面シートと、前記表面シートに接合された液不透過性の裏面シートと、被着体に貼着可能な粘着層と、前記粘着層の粘着面を被覆すると共に剥離可能な剥離層と、を具備し、前記表面シートと前記裏面シートとの間にガスが封入された固形粒子が混入された吸収体を含み、前記裏面シート側における単位面積当たりの前記固形粒子の量より前記表面シート側における単位面積当たりの前記固形粒子の量が、多く存在していることを特徴とする。
また、上記のトレーニングパンツ用使い捨てシートにおいて、更に、前記固形粒子の粒径が、１ｍｍ〜５ｍｍであることを特徴とする。
【発明の効果】
【０００８】
本発明によれば、排尿をしたときに不快感を与えることにより、着用者である幼児が交換のタイミングを容易に認識できるトレーニングパンツおよびトレーニングパンツ用使い捨てシートを提供する。
【図面の簡単な説明】
【０００９】
【図１】本発明による第１実施形態の使い捨てトレーニングパンツの平面図である。
【図２】図１のＸ−Ｘ断面図である。
【図３】本発明による第２実施形態の使い捨てトレーニングパンツの平面図である。
【図４】図３のＸ−Ｘ断面図である。
【図５】本発明による第３実施形態のトレーニングパンツ用使い捨てシートの断面図である。
【図６】図５のトレーニングパンツ用使い捨てシートを被着体に貼着した断面図である。
【図７】本発明による第４実施形態のトレーニングパンツ用使い捨てシートの断面図である。
【図８】図７のトレーニングパンツ用使い捨てシートを被着体に貼着した断面図である。
【発明を実施するための形態】
【００１０】
次に、本発明に係る使い捨てトレーニングパンツの実施形態について、図面を参照しながら説明する。なお、本明細書に添付する図面においては、図示と理解のしやすさの便宜上、適宜縮尺及び縦横の寸法比等を、実物のそれらから変更し誇張してある。
【００１１】
〔第１実施形態〕
図１及び図２を参照して、本発明の第１実施形態に係る使い捨てトレーニングパンツについて説明する。図１は、本発明による第１実施形態の使い捨てトレーニングパンツの平面図である。図２は、図１のＸ−Ｘ断面図である。
【００１２】
（使い捨てトレーニングパンツ）
本実施形態の使い捨てトレーニングパンツ１０は、着用者からの液体の排泄物を透過させる着用者に接する表面シート１と、排出物が漏れるのを防ぐ裏面シート２とを具備している。
また、本実施形態の使い捨てトレーニングパンツ１０は、腹側の左右両側縁部と背側の左右両側縁部とが接合される。また、胴周りと脚周りとにそれぞれ弾性部材１１が接合されている。
【００１３】
本実施形態の使い捨てトレーニングパンツ１０は、図２に示すように、表面シート１と裏面シート２との間にガスが封入された固形粒子３を含む材料を備えている。
また、本実施形態の使い捨てトレーニングパンツ１０において、裏面シート２側における単位面積当たりのガスが封入された固形粒子３の量よりも表面シート１側における単位面積当たりのガスが封入された固形粒子３の量が、多く存在している。
そのため、本実施形態の使い捨てトレーニングパンツ１０は、着用者の肌側に近い位置にガスが封入された固形粒子３が存在するため、着用者である幼児が排尿をしたときにより強い不快感を認識することができる。
【００１４】
（表面シート）
次に、表面シート１について具体的に説明する。
本実施形態において、表面シート１は、不織布である。表面シート１の素材は、織布、有孔プラスチックシート等、液体を透過する構造のシート状の材料であれば、特に限定されない。織布や不織布の素材としては、天然繊維、化学繊維のいずれも使用できる。
天然繊維としては、粉砕パルプ、コットン等のセルロースが挙げられる。
化学繊維としては、レーヨン等の再生セルロース、アセテート、トリアセテート等の半合成セルロース、ポリエチレン、ポリプロピレン、ポリエチレンテレフタレート等の熱可塑性疎水性化学繊維、又は親水化処理を施した熱可塑性疎水性化学繊維などが挙げられる。
【００１５】
（裏面シート）
次に、裏面シート２について具体的に説明する。
本実施形態において、裏面シート２は、排出物が漏れるのを防ぐために、疎水性又は撥水性を有することが好ましい。
裏面シート２の材料は、ポリエチレン、ポリプロピレン等を主体としたフィルム、通気性の樹脂フィルム、スパンボンド等の不織布に通気性の樹脂フィルムが接合されたシートなどを使用することができる。
【００１６】
（固形粒子）
次に、ガスが封入された固形粒子３について具体的に説明する。
本実施形態において、ガスが封入された固形粒子３は、水に対して可溶性であり、糖類等からなる水溶性固形物の内部に無害性のガスを封入する構造を有している。
無害性のガスは、例えば、炭酸ガス、窒素ガス等が高圧状態で、多数の気泡の状態で封入されている。
ガスを封入する固形物の壁面となる糖類含有固形物としては、水に溶解するものであればよく、糖類を必須の原料成分とし、白糖、マルトース、マルチトール、マンニトール、水飴、ソルビトール、ペンタエリスリトール、ブドウ糖、乳糖、キシリット、キシロース、ガラクトース、ラフィノース、マンノース、還元麦芽糖等を使用することができる。
ガスが封入された固形粒子３に液体が接触すると、ガスが封入された固形粒子の外側を覆う糖類からなる壁面が崩壊し、内部のガスが放出される。
【００１７】
ガスが封入された固形粒子３の製造方法について以下に説明する。
まず、原料成分である糖類と水とを混合し、加熱し、脱水後、冷却固化し、粉砕する。更に、得られた粉砕物を圧力釜等の加圧容器に収容し、窒素、二酸化炭素等の高圧ガスを導入して加圧し、加熱後、加圧状態のまま冷却し、次に、常圧まで減圧し、粉砕し、細粒化することによりガスが封入された固形粒子が得られる。
ガス含有固形粒子の粒径は、１ｍｍ〜５ｍｍ程度が望ましい。
粒径が１ｍｍ未満であると、着用者である幼児が排尿をしたときに刺激を与える効果が減少するので好ましくない。
粒径が５ｍｍを超えると、粒径が大きくなるほど着用感を害するため好ましくない。
【００１８】
〔第２実施形態〕
図３及び図４を参照して、本発明の第２実施形態に係る使い捨てトレーニングパンツについて説明する。図３は、本発明による第２実施形態の使い捨てトレーニングパンツの平面図である。図４は、図３のＸ−Ｘ断面図である。
【００１９】
本実施形態の使い捨てトレーニングパンツ１０は、表面シート１と、裏面シート２との間に、更に、吸収体４を具備している。そして、吸収体４にガスが封入された固形粒子３が混入されている。
また、本実施形態において、吸収体４におけるガスが封入された固形粒子３の分布は、厚み方向において、裏面シート２側における単位面積当たりのガスが封入された固形粒子３の量よりも表面シート１側における単位面積当たりのガスが封入された固形粒子３の量が、多く存在している。
そのため、本実施形態の使い捨てトレーニングパンツ１０は、着用者の肌側に近い位置にガスが封入された固形粒子３が存在するため、着用者である幼児が排尿をしたときにより強い不快感を認識することができる。
なお、固形粒子３のトレーニングパンツ１０またはトレーニングパンツ用使い捨てシート２０、１枚当たり総重量は、３ｇ〜１０ｇであり、好ましくは、５ｇ程度である。３ｇ未満であると、着用者である幼児が排尿をしたときに刺激を与える効果が減少するので好ましくない。１０ｇを超えると、固形粒子の溶解物が着用者におびただしく付着し、市販のおしり拭きないしウェットティッシュ等での清拭が困難になる恐れがある為、好ましくない。
【００２０】
（吸収体）
次に、吸収体４について具体的に説明する。
本実施形態において、吸収体４は、着用者の身体から排泄された様々な排泄物を吸収するものであり、親水性繊維、パルプを含む。
親水性繊維は、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、又は、親水化処理を施した熱可塑性疎水性化学繊維等を単独又は混合して用いることができる。
【００２１】
親水性繊維に高分子吸収体を混合したものを吸収体４として使用しても良い。
本実施形態では、高分子吸収体は、吸収性、吸湿性のあるアクリル酸ナトリウム共重合体等の粒状ポリマーである。なお、吸収体４は、銀、銅、亜鉛、シリカ、活性炭、アルミノケイ酸塩化合物、オライト等の粒状消臭材、又は粒状抗菌材を添加してもよい。
【００２２】
〔第３実施形態〕
図５及び図６を参照して、本発明の第３実施形態に係るトレーニングパンツ用使い捨てシートについて説明する。図５は、本発明による第３実施形態のトレーニングパンツ用使い捨てシートの断面図である。図６は、図５のトレーニングパンツ用使い捨てシートを被着体に貼着した断面図である。
【００２３】
（トレーニングパンツ用使い捨てシート）
本実施形態のトレーニングパンツ用使い捨てシート２０は、オムツやパンツ等の被着体３０の人体に接触する内面側に貼着されるものである。なお、オムツは、紙オムツや布オムツを使用できる。
ここで、本実施形態の被着体３０は、使い捨てオムツの場合、図６に示すように、吸収シート３２と、吸収シート３２の外側に設けられた防水シート３３と、吸収シート３２の内側に設けられた保護シート３１とを具備するものである。
トレーニングパンツ用使い捨てシート２０は、着用者の肌に当接する当接面を有する液透過性の表面シート１と、表面シートに接合された液不透過性の裏面シート２と、被着体３０に貼着可能な粘着層５と、粘着層５の粘着面を被覆すると共に剥離可能な剥離層６と、を具備する。
また、本実施形態のトレーニングパンツ用使い捨てシート２０において、裏面シート２側における単位面積当たりのガスが封入された固形粒子３の量よりも表面シート１側における単位面積当たりのガスが封入された固形粒子３の量が、多く存在している。
そのため、本実施形態のトレーニングパンツ用使い捨てシート２０は、剥離層６を剥離し、オムツ等の被着体３０の着用者に接触する面側の所望の位置に貼着されることにより、着用者の肌側に近い位置にガスが封入された固形粒子３が存在するため、着用者である幼児が排尿をしたときにより強い不快感を認識することができる。
【００２４】
（粘着層）
本実施形態において、粘着層５は、トレーニングパンツ用使い捨てシート２０の一方面側に設けられ、トレーニングパンツ用使い捨てシート２０をオムツまたはパンツ等の被着体３０に貼着させるものである。
粘着層５は、例えば、着用者の皮膚に付着した際にかぶれが生じ難いものが好ましく、例えば、アクリル系の接着剤を使用できる。
【００２５】
（剥離層）
本実施形態において、剥離層６は、粘着層５の粘着面を保護する層である。剥離層６は、紙等の支持体上にポリエチレン等のフィルムをラミネートし、その上にシリコン等の剥離層を設けたものなどが使用できる。
【００２６】
〔第４実施形態〕
図７及び図８を参照して、本発明の第４実施形態に係るトレーニングパンツ用使い捨てシートについて説明する。図７は、本発明による第４実施形態のトレーニングパンツ用使い捨てシートの断面図である。図８は、図７のトレーニングパンツ用使い捨てシートを被着体に貼着した断面図である。
【００２７】
トレーニングパンツ用使い捨てシート２０は、着用者の肌に当接する当接面を有する液透過性の表面シート１と、表面シートに接合された液不透過性の裏面シート２と、被着体３０に貼着可能な粘着層５と、粘着層５の粘着面を被覆すると共に剥離可能な剥離層６と、を具備し、更に、表面シート１と、裏面シート２との間に、吸収体４を具備している。そして、吸収体４にガスが封入された固形粒子３が混入されている。
また、本実施形態において、吸収体４におけるガスが封入された固形粒子３の分布は、裏面シート２側における単位面積当たりのガスが封入された固形粒子３の量よりも表面シート１側における単位面積当たりのガスが封入された固形粒子３の量が、多く存在している。
本実施形態のトレーニングパンツ用使い捨てシート２０は、剥離層６を剥離し、オムツ等の被着体３０の着用者に接触する面側の所望の位置に貼着されることにより、着用者の肌側に近い位置にガスが封入された固形粒子３が存在するため、着用者である幼児が排尿をしたときにより強い不快感を認識することができる。
更に、トレーニングパンツ用使い捨てシート２０において、吸収体４を具備することにより、パンツ等の吸収性の乏しい被着体３０であっても、被着体３０からの水漏れを防止することができる。
【符号の説明】
【００２８】
１      表面シート
２      裏面シート
３      ガスが封入された固形粒子
４      吸収体
５      粘着層
６      剥離層
１０      使い捨てトレーニングパンツ
１１      弾性部材
２０      トレーニングパンツ用使い捨てシート
３０      被着体
３１      保護シート
３２      吸収シート
３３      防水シート
【図１】
0006511826.tif 000002
【図２】
0006511826.tif 000003
【図３】
0006511826.tif 000004
【図４】
0006511826.tif 000005
【図５】
0006511826.tif 000006
【図６】
0006511826.tif 000007
【図７】
0006511826.tif 000008
【図８】
0006511826.tif 000009